(57)【要約】【課題】電力消耗および大型化を抑制しながら、「赤目」を抑制することができるカメラを提供する。【解決手段】閃光発生装置の発光に先立ち、複数色の光を相互に異なる点滅で被写体に向けて発光する。【選択図】　　　図２
2004004330.tif 000002
【特許請求の範囲】
【請求項１】
被写体の撮影を行なうカメラにおいて、
撮影時に被写体に向けて閃光を発光する閃光発光装置と、
撮影に先立って被写体に向けて発光する赤目防止装置とを備え、
前記赤目防止装置は、複数色の光に相互に異なる点滅を行なわせるものであることを特徴とするカメラ。
【請求項２】
前記赤目防止装置は、前記複数色の光を、これら複数色の光それぞれについて４ヘルツ以下の点滅周波数で点滅させるものであることを特徴とする請求項１記載のカメラ。
【請求項３】
前記赤目防止装置は、赤色の光と青色の光、あるいは青色の光と緑色の光を交互に点滅させるものであることを特徴とする請求項１または２記載のカメラ。
【発明の詳細な説明】
【０００１】
【発明の属する技術分野】
本発明は、閃光発光装置を備えたカメラに関する。
【０００２】
【従来の技術】
従来より、フラッシュ装置などの閃光発光装置を備えたカメラが知られている。
【０００３】
このようなカメラにおいて、人が被写体である場合にフラッシュ光を用いた撮影を行なうと、「赤目」と呼ばれる現象が発生する場合がある。
【０００４】
この「赤目」は、人間の目が赤く撮影されてしまう現象を指し、これは、フラッシュ光が網膜上に結像し、それがカメラ側に反射することで発生するといわれている。
【０００５】
特開昭５２−８０１２０号公報、あるいは特開昭５８−９１３０号公報には、この「赤目」現象の発生の抑制策として、フラッシュ発光に先立つ、瞳孔を収縮させるための予備発光の実施が提案されている。
【０００６】
上記提案では、この予備発光により瞳孔を収縮させ、網膜に到達するフラッシュ光量を減らすことによって「赤目」現象の発生が抑制されている。
【０００７】
また、上記提案以外にも、フラッシュ装置をカメラ光軸から離間させて配置し、網膜で反射した光が撮影レンズに入射しないようにすることでも「赤目」現象の発生が抑制されている。
【０００８】
【発明が解決しようとする課題】
ところで、上記提案における予備発光光の輝度が低いと、瞳孔の収縮が不充分なままフラッシュ光が発光されてしまうため、「赤目」発生の抑制効果が低下する。したがって、この予備発光には、その後のフラッシュ発光ほどではないにしろ、ある程度の輝度を確保するための電力供給が必要となり、これにより、電池電力の消耗が激しくなるという問題が発生する。
【０００９】
また、「赤目」発生の抑制のためにフラッシュ装置をカメラ光軸から離間させなければならないとなると、カメラが大型化してしまうという問題が発生する。
【００１０】
本発明は、上記事情に鑑み、上記問題を解決しながら、「赤目」の発生を抑制することのできるカメラを提供することを目的とする。
【００１１】
【課題を解決する手段】
本発明のカメラは、被写体の撮影を行なうカメラにおいて、
撮影時に被写体に向けて閃光を発光する閃光発光装置と、
撮影に先立って被写体に向けて発光する赤目防止装置とを備え、
上記赤目防止装置は、複数色の光に相互に異なる点滅を行なわせるものであることを特徴とする。
【００１２】
本発明は、人間には、相互に異なる点滅を行なう複数色の光を網膜に受けると反射的に瞳孔が収縮するという性質があることに着目してなされた発明であり、人を多少まぶしがらせる程の輝度が確保された発光光を、閃光発光装置に先立って発光させて瞳孔を収縮させていた従来と比べ、本発明のカメラでは、上記構成により、複数色の光を被写体側が認識できる程度の輝度を以って被写体側に向けて点滅発光するだけで瞳孔を収縮させることができる。これにより、本発明のカメラでは、従来よりは電力を消耗せずに瞳孔の収縮を実現したことで、閃光発生装置をカメラ光軸から離間させる必要性もなくすことができる。したがって、本発明のカメラによれば、電力の消耗とともに、カメラの大型化を抑制しながら、「赤目」発生を抑制することができる。
【００１３】
ここで、上記赤目防止装置は、上記複数色の光を、これら複数色の光それぞれについて４ヘルツ以下の点滅周波数で点滅させるものであることが好ましい。
【００１４】
このようにすると、「赤目」抑制の効果が増すこととなる。
【００１５】
さらに、上記赤目防止装置は、赤色の光と青色の光、あるいは青色の光と緑色の光を交互に点滅させるものであることも好ましい態様である。
【００１６】
このようにすると、「赤目」抑制の効果が一層増すこととなる。
【００１７】
【発明の実施の形態】
以下、本発明の実施形態について説明する。
【００１８】
図１は、本発明のカメラの第１実施形態の外観斜視図である。
【００１９】
図１に示される本実施形態のカメラ１は、単焦点タイプのコンパクトカメラである。
【００２０】
このカメラ１の前面には、中央に撮影レンズ１１、撮影レンズの左斜め上（図１では右斜め上）にＡＥ受光窓１２、ＡＥ受光窓の左斜め上にフラッシュ発光窓１３、フラッシュ発光窓１３の右隣に第１ＬＥＤ用発光窓１４および第２ＬＥＤ発光窓１５、カメラ１の前面の右側上端にファインダ対物窓１６が備えられている。
【００２１】
このカメラ１の上面には、右端にレリーズスイッチ１７が備えられている。
【００２２】
図２は、図１に示されるカメラの内部ブロック図である。
【００２３】
図２には、このカメラ１の構成要素である、カメラ全体を制御するＣＰＵ２０と、メインスイッチ１８（不図示）と、レリーズスイッチ１７と、これらスイッチに対する操作による信号のＣＰＵ２０への送信を制御するＩ／Ｏコントローラ２２と、図１に示されるＡＥ受光窓１２を透して外部光が導かれる、カメラ本体内に備えられたＡＥセンサ１２ａと、ＡＥセンサ１２ａからの信号を演算し、露出情報をＣＰＵ２０に送信するＡＥ演算回路１２ｂと、図１に示されるフラッシュ発光窓１３を透して被写体に向けて光を発光するフラッシュ装置１３ａと、図１に示される第１および第２ＬＥＤ用発光窓を透して被写体側に赤色光および緑色光を発光する、カメラ本体内に備えられた第１ＬＥＤ１４ａおよび第２ＬＥＤ１５ａと、ＣＰＵ２０からの指示を受け、これら第１ＬＥＤ１４ａおよび第２ＬＥＤ１５ａの発光を制御する、第１ＬＥＤドライバ１４ｂおよび第２ＬＥＤドライバ１５ｂとが示されている。第１ＬＥＤ１４ａからは赤色光、第２ＬＥＤ１５ａからは青色光が発光されている。
【００２４】
図３は、レリーズスイッチの押下による、本実施形態のカメラの各構成要素の動作のタイミングチャートである。
【００２５】
図３には、最上段に示されるレリーズボタン１７の押下タイミングに対する、第１のＬＥＤ１４ａ、第２のＬＥＤ１５ａ、シャッタ装置、フラッシュ装置１３ａの各動作タイミングが示されている。
【００２６】
図３に示されるように、レリーズスイッチが押下され、それから多少遅れて第１ＬＥＤ１４ａの点滅が開始される。さらに、第１ＬＥＤ１４ａの点滅の開始に多少遅れて第２ＬＥＤ１５ａの点滅が開始される。
【００２７】
これら第１ＬＥＤ１４ａおよび第２ＬＥＤ１５ａの点滅が開始された後、前記ＡＥ演算回路１２ｂからの被写体の輝度情報を基に決定されたスピードでシャッタが開閉され、そのシャッタの開閉にあわせたタイミングでフラッシュ装置の発光が行なわれる。
【００２８】
本実施形態では、フラッシュ装置の発光に先立ち、赤色光を発光する第１ＬＥＤ１４ａと、青色光を発光する第２ＬＥＤ１５ａが、互いに位相はズレているもののそれぞれが４ヘルツの周波数で交互に同じ点灯時間で点滅され、赤色光および青色光が交互に被写体側に向けて発光されるので、このような２色の光を網膜に受けた人の瞳孔は収縮する。このように瞳孔を収縮させるために必要な、これらＬＥＤを被写体側から視認できる程度に点滅させるための電力量は、まぶしがらせることで瞳孔収縮を実現していた従来の予備発光に必要な電力量と比べて低減されていると共に、フラッシュ装置もカメラ光軸に接近した位置に配置することができる。したがって、本実施形態のカメラ１によれば、電力の消耗および大型化を抑制しながら、「赤目」を抑制することができる。
【００２９】
図４は、本実施形態のカメラの「赤目」抑制のために起動されるルーチンのフローチャートである。
【００３０】
図４に示されるルーチンは、本実施形態のカメラ１の図示しないメインスイッチの投入と共に起動され、ステップＳ１では、図１に示されるＡＥ受光窓１２を透してＡＥセンサ１２ａおよびＡＥ演算回路１２ｂから得られる輝度情報を基にフラッシュ発光が必要か否かが判定され、必要ではないと判定されるとステップＳ１を繰り返す。ステップＳ１において、必要であると判定されると、ステップＳ２に進み、図１に示されるレリーズスイッチ１７が押下されているか否かが判定される。
【００３１】
ステップＳ２において、レリーズスイッチ１７が押下されていないと判定されると、ステップＳ１に戻り、ステップＳ２において、レリーズスイッチが押下されている判定されると、ステップＳ３に進み、赤色光である第１ＬＥＤの点滅が開始され、ステップＳ４では、第１ＬＥＤに続いて、青色光である第２ＬＥＤの点滅が開始される。その後、ステップＳ５では、図１に示されるフラッシュ発光窓１３を透してフラッシュ装置の発光が行なわれる。
【００３２】
ステップＳ６では、ＡＥセンサ１２ａおよびＡＥ演算回路１２ｂから得られる輝度情報を基に決定されたスピードでシャッタの開閉が行なわれて写真撮影が行なわれる。ステップＳ７では、第１ＬＥＤおよび第２ＬＥＤの点滅が中止され、その後、ステップＳ１に戻る。
【００３３】
次に、本発明のカメラの第２実施形態について説明する。
【００３４】
本実施形態のカメラ１０と第１実施形態のカメラ１との相違点は、第１実施形態のカメラ１では点滅が赤色と青色だったのが、青色と緑色になっただけであるので、図示および説明は省略する。
【００３５】
以上に説明した第１および第２実施形態では、赤色と青色、または、青色と緑色をそれぞれ４ヘルツで点滅させた例を挙げて説明したが、複数色の光であって互いに異なる点滅を４ヘルツ以下の周波数で行なうものであれば、これに限らず、赤色と黄色、あるいは、赤色と黄色と緑色それぞれが４ヘルツ以下の互いに異なる周波数で点滅するものであってもよい。
【００３６】
図５は、第１あるいは第２実施形態で採用されている、第１および第２ＬＥＤの点滅パターンとは異なる点滅パターンを示す図である。
【００３７】
図５の（ａ）から（ｆ）には、それぞれ２つの点滅パターンが示されている。
【００３８】
図５（ａ）には、第１および第２実施形態における第１および第２ＬＥＤの点滅パターンと比べて、第１および第２実施形態で見られた両色光の同時消灯が省かれて、常にいずれか一方の色光が点灯している点滅パターンが示されている。
【００３９】
図５（ｂ）には、第１および第２実施形態における第１および第２ＬＥＤの点滅パターンと比べて、第１および第２実施形態では見られなかった両色の同時点灯の瞬間がある点滅パターンが示されている。
【００４０】
図５（ｃ）には、、第１および第２実施形態における第１および第２ＬＥＤの点滅パターンと比べて、第１および第２実施形態では見られなかった両色の同時点灯の瞬間があり、また、第１および第２実施形態で見られた両色光の同時消灯が省かれている点滅パターンが示されている。
【００４１】
図５（ｄ）には、第１および第２実施形態における第１および第２ＬＥＤの点滅パターンと比べて、第１および第２実施形態においては同じだった両色光の点灯時間が異なる点滅パターンが示されている。
【００４２】
図５（ｅ）には、第１および第２実施形態における第１および第２ＬＥＤの点滅パターンと比べて、第１および第２実施形態においては同じだった両色光の点灯時間が異なり、第１および第２実施形態で見られた両色光の同時消灯が省かれた点滅パターンが示されている。
【００４３】
図５（ｆ）には、第１および第２実施形態における第１および第２ＬＥＤの点滅パターンと比べて、第１および第２実施形態においては同じだった両色光の点灯時間が異なり、第１および第２実施形態においては異なっていた位相がおなじになった点滅パターンが示されている。
【００４４】
第１および第２実施形態において、図５に示される点滅パターンで第１および第２ＬＥＤを点滅させても、本発明の効果を損なうものではない。
【００４５】
さらに、第１および第２実施形態では、カメラの前面に設けられた２つの窓からそれぞれの色光が被写体に向けて出射されている例をあげて説明したが、これに限らず、各色光の波長域をそれぞれの点滅に応じて含んだ光をカメラ前面の１ヶ所から被写体に向けて出射するものであってもよい。また、各色ごとにＬＥＤを備えるのではなく、１つのＬＥＤに対し複数のフィルタを備えて各色光を出射させるものであってもよい。
【００４６】
【発明の効果】
以上説明したように、本発明のカメラによれば、電力の消耗とともに、カメラの大型化も抑制しながら「赤目」の発生を抑制することができる。
【図面の簡単な説明】
【図１】本発明のカメラの第１実施形態の外観斜視図である。
【図２】図１に示されるカメラの内部ブロック図である。
【図３】レリーズスイッチの押下による、本実施形態のカメラの各構成要素の動作のタイミングチャートである。
【図４】本実施形態のカメラの「赤目」抑制のために起動されるルーチンのフローチャートである。
【図５】第１あるいは第２実施形態で採用されている、第１および第２ＬＥＤの点滅パターンとは異なる点滅パターンを示す図である。
【符号の説明】
１、１０　カメラ
１１　撮影レンズ
１２　ＡＥ受光窓
１２ａ　ＡＥセンサ
１２ｂ　ＡＥ演算回路
１３　フラッシュ発光窓
１３ａ　フラッシュ装置
１４　第１ＬＥＤ用発光窓
１４ａ　第１ＬＥＤ
１４ｂ　第１ＬＥＤドライバ
１５　第２ＬＥＤ用発光窓
１５ａ　第２ＬＥＤ
１５ｂ　第２ＬＥＤドライバ
１６　ファインダ対物窓
１７　レリーズスイッチ
１８　メインスイッチ
２０　ＣＰＵ
２２　Ｉ／Ｏコントローラ
【図１】
2004004330.tif 000003
【図２】
2004004330.tif 000004
【図３】
2004004330.tif 000005
【図４】
2004004330.tif 000006
【図５】
2004004330.tif 000007